(57)【要約】【課題】老人や被介護者が全身を伸ばした状態で浴湯に浸かるようにさせ、その状態で介護者も同時に浴槽内に入って楽な姿勢で浴湯補助を行なえるようにした浴槽を提供する。【解決手段】槽本体１２内に形成された浅床部１４と、浅床部に連続して段下がり状に凹設された長溝部１６と、を有し、長溝部１６が槽本体の周縁寄り位置に配置され、長溝部の長手方向と直交する方向であって人が長溝部に沿う方向に設けられた縁１８に頭部Ｈを支持させ、浅床部１４に脚部Ｌを伸ばして載置させた状態で全身を横たえ得る程度の第１方向Ｘ長さを有する槽本体を備えた浴槽から構成される。長溝部は長さや幅をある程度小型化して人が入れるようにでき、また、浅床部は少ない湯量で人が体全体を伸ばした状態で浴湯し得る。したがって、被介護者を寝かせた状態で浴湯させ、さらに介護し易い状態で介護者も浴湯しうる。【選択図】図１
2004194951.tif 000002
【特許請求の範囲】
【請求項１】
槽本体内に形成された浅床部と、浅床部に連続して段下がり状に凹設された長溝部と、を有し、
長溝部が槽本体の周縁寄り位置に配置され、
長溝部の長手方向と直交する方向であって人が長溝部に沿う方向に設けられた縁に頭部を支持させ、浅床部に脚部を伸ばして載置させた状態で全身を横たえ得る程度の第１方向長さを有する槽本体を備えたことを特徴とする浴槽。
【請求項２】
長溝部は、同長溝部内に一人の人が入って他の人が浅床部に脚部を伸ばして載置させた状態で全身を横たえて槽本体内で湯浴が可能な程度の長さに設定されている請求項１記載の浴槽。
【請求項３】
人が長溝部に沿う方向に設けられた縁には弾性クッション材が張設されている請求項１または２記載の浴槽。
【請求項４】
槽本体は平面四角形状で形成され、人が浅床部上に脚部を伸ばし長溝部に沿う方向に設けられた縁に頭部を載せた状態でその脚長端側を規定する移動仕切り装置が設けられた請求項１ないし３のいずれかに記載の浴槽。
【請求項５】
移動仕切り装置は、槽本体側に設けられ第１方向に沿って間欠状に設けられた受部と、受部に着脱自在に嵌合される仕切り板と、を含む請求項４記載の浴槽。
【請求項６】
移動仕切り装置は、人が浅床部上に脚部を伸ばして全身を横たえる際の長手方向に沿って槽本体に取り付けられ仕切り板を同長手方向に移動案内させるレール部材を含む請求項４または５記載の浴槽。
【発明の詳細な説明】
【０００１】
【発明の属する技術分野】
本発明は、一般家庭、病院、介護施設等において用いられる浴槽に関し、特に、老人、要介護者、子供等を入浴させる際に用いて好適な浴槽に関する。
【０００２】
【従来の技術】
従来の浴槽は、伝統的な檜材を用いたものから、最近ではプラスチック、ほうろう、ステンレス製のものが広く用いられるようになっている。浴槽は、経済性、機能性の点から例えば横５０ｃｍ、縦１００ｃｍ、深さ５０ｃｍ程度のものが集合住宅や団地、あるいは一般住居宅等で汎用されていたが、近時は低い温湯中に長い時間浴することにより疲労回復効果が効率的に得られることや、入浴中の時間を充実したものとするために例えば横５５ｃｍ、縦１４０ｃｍ、深さ５５ｃｍ程度の足を伸ばせて湯に浸かれる程度の幅方向スペースの余裕がある大きさの直方体形状の浴槽を設置する場合が多くなっている。一方、浴槽に隣接する洗い場は、浴槽の深さの半分程の高さ位置に床部を設置して設定され、その床面積は例えば浴槽の長辺側長さを一辺とする正方形状等で構成される場合が多い。
【０００３】
従来、このように、比較的に大きく設定された浴槽に老人、被介護者、子供等を入浴させるに際しては、大人二人が全身を伸ばして入るのには小さ過ぎるので介護者及び被介護者ともに膝を深く曲げた状態で座りこんで浴槽内に入るしかなかった。また、老人や被介護者の健康状態あるいは体の状態等によっては膝を深く曲げることが困難な場合が多く、そのような場合には浴槽内で浴湯することを断念し、洗い場に座らせた状態にして介護者が傍から掛け湯を行なうことで入浴を済ませる場合も少なくない。したがって、被介護者にとっては入浴時に全身を浴湯に浸からせた状態で十分な温湯効果が得られずに入浴を済ませなければならない場合が多く、満足感が乏しいものであった。また、十分に身体を暖めることができないので、風邪等に罹患する恐れがあった。
【０００４】
【発明が解決しようとする課題】
これに対し、例えば特開２００２−１４３０１５号に示す中仕切型浴槽が従来、知られており、この浴槽は、直方体形状の浴槽内部を底面より一段高い位置に略水平な段部を形成し、その水平な段部との段差付近に浴槽底面と垂直に、浴槽短辺巾でリム面高さの四辺形の上下可動かつ取り外し可能な平板を設け、その平板が浴槽内側に設けた溝に収まるようにした構成である。この特開２００２−１４３０１５号の浴槽では、中仕切りを用いて直方体形状の槽内を高位置水平段部による槽部分と、浴槽内底面の槽部分と、に遮断し、高位置水平段部側浴槽で子供が一人で入浴したり、ペットの洗い用浴槽として使用する際に汚れた湯が浴槽内底部側の湯と混ざらないようにしたものである。しかしながら、この浴槽も、結局は直方体形状であり、したがって、被介護者が全身を伸ばした状態で浴湯させ、さらに介護者側も槽内に入る等して楽な姿勢で浴湯補助を行なうことができず、被介護者には十分な満足感を与える浴湯が望めないうえに、介護者側も洗い場等から屈み込んだり、あるいは中腰等の不安定な姿勢で浴湯補助を行なうしかなく、労力が多くて疲れやすく、また、ぎっくり腰等の原因にもなっていた。また、この中仕切り遮断型の浴槽では、高位置水平段部により形成される浴槽は、従来の直方体形状を単に横分割しただけであるから、極めて小さなスペースしか確保できず乳児等を浴湯させる場合には使用できないものであった。したがって、浴槽本体側の底部浴槽側に大人が入って乳児を抱きかかえた状態で溺死しないように注意を払いながら浴湯させる必要があった。さらに、仕切り板は浴槽内側の定められた位置の溝に収まるように嵌合させるから用途により高位置水平段部側浴槽を十分なスペースで使用し得るようにできないという欠点があた。
【特許文献１】特開２００２−１４３０１５号公報（第１頁、図２、図３、図４）
【０００５】
本発明は、上記従来の課題に鑑みてなされたものであり、その１つの目的は、老人や被介護者が全身を伸ばした状態で浴湯に浸かるようにさせ、その状態で介護者も同時に浴槽内に入って楽な姿勢で浴湯補助を行なえるようにした改良された浴槽を提供することにある。また、本発明の他の目的は、大人が全身を伸ばした状態で湯に浸かれるスペースを浴槽内に確保し得るとともに、投入される湯量を大幅に増量させることのない浴槽を提供することである。さらに、本発明の他の目的は、必要に応じて浅床部を広く確保できて乳児の入浴、大人が全身を伸ばした状態での浴湯と幼児の入浴等を同時に行わせ得る浴槽を提供することにある。
【０００６】
【課題を解決するための手段】
上記目的を達成するために、本発明は、槽本体１２内に形成された浅床部１４と、浅床部に連続して段下がり状に凹設された長溝部１６と、を有し、長溝部１６が槽本体の周縁寄り位置に配置され、長溝部の長手方向と直交する方向であって人が長溝部に沿う方向に設けられた縁１８に頭部Ｈを支持させ、浅床部１４に脚部Ｌを伸ばして載置させた状態で全身を横たえ得る程度の第１方向Ｘ長さを有する槽本体を備えた浴槽から構成される。浴槽の材質は、木製、プラスチック、ステンレス製、タイル張り、土製その他の任意の素材で作成したものでも良い。全体の外形形状は任意に設定してよいが浴湯が張られる槽本体の内部は平面四角形状であるのが好ましい。長溝部の溝長手方向長さは任意であるが、少なくとも溝長手方向に向かって人がその溝内に入って全身を浸からせる程度の長さである必要がある。好ましくは、脚を完全に伸ばした状態で直角状の姿勢で溝底に着いて座れる程度の大きさ、あるいは長さを有するのが良い。長溝部の溝幅方向長さは、人が入れる程度の幅でよく、例えば後述する実施形態のサイズよりもより小さな長さに設定していてもよい。
【０００７】
その際、長溝部１６は、同長溝部内に一人の人Ｓが入って他の人Ｍが浅床部１４に脚部Ｌを伸ばして載置させた状態で全身を横たえて槽本体内で湯浴が可能な程度の長さに設定されているとよい。長溝部１６に入る人Ｓが、例えば膝を曲げた状態で入れる程度の溝長さでも良い。
【０００８】
また、その際、人が長溝部１６に沿う方向に設けられた縁１８には弾性クッション材２０が張設されているとなおよい。
【０００９】
また、槽本体１２は平面四角形状で形成され、人が浅床部１４上に脚部Ｌを伸ばし長溝部１６に沿う方向に設けられた縁１８に頭部Ｈを載せた状態でその脚長端側を規定する移動仕切り装置２４を設けるとよい。浅床部等を利用してその上に横たわる人の頭部から脚長端までの長さを任意の長さに設定でき、脚のつっ張り位置を自在に設定し得る。仕切り装置の仕切り部材は板材や、開口を有する板材等であってもよい。下部側に開口を形成した仕切り部材では湯量の調整はできないが、脚端のつっ張り支持位置を決めるうえでは十分である。なお、仕切り部材は、その他フレーム部材等であってもよい。
【００１０】
また、移動仕切り装置２４は、槽本体１２側に設けられ第１方向Ｘに沿って間欠状に設けられた受部２６と、受部に着脱自在に嵌合される仕切り板２８と、を含むようにするとよい。
【００１１】
さらに、移動仕切り装置２４は、人が浅床部１４上に脚部Ｌを伸ばして全身を横たえる際の長手方向に沿って槽本体に取り付けられ仕切り板２８を同長手方向に移動案内させるレール部材３０を含むようにしてもよい。
【００１２】
【発明の実施の形態】
以下、添付図面に基づいて本発明に係る浴槽の実施の形態について説明する。図１ないし図１０は、実施形態に係る浴槽を示す図であり、図１、図７において、本実施形態の浴槽１０は、平面長四角形状で直方体状の浴槽本体１２を有しており、その槽内の横断方向半分以上の面積で設けられた浅床部１４と、浅床部１４に連続して段下がり状に凹設された長溝部１６と、を有している。槽本体１２は、例えばプラスチック成形品で構成され、所要の板厚の長辺側壁、短辺側壁及び底壁を有して上面を開口した箱体形状で形成されている。実施形態において、短辺側のそれぞれの縁部１８には発泡性合成樹脂等の弾性クッション材２０が防水シートに被覆されて短辺方向長さに渡り張設されている。
【００１３】
図において、長四角形状の長辺方向を第１方向Ｘとし、短辺方向を第２方向Ｙとして、一つの短辺側寄りに該短辺方向に沿い、かつ全幅方向（第２方向）に渡って長溝部６０を形成し、この長溝部に連続して該長溝部１６から段上りした位置に浅床部１４を平面長四角形状の残余の部分に配設させている。すなわち、浅床部１４は、直方体形状の槽本体内において中間高さ位置を上部平面とする段床であり、一端側は長溝部の溝壁を共通とする側壁を有し、他端側は槽本体の他の短辺側壁に直角状に接合されている。そして、槽本体の長辺方向長さ、すなわち、第１方向長さＸは、長溝部１６の長手方向と直交する方向であって人が長溝部に沿う方向に設けられた縁１８に頭部を支持させ、浅床部１４に脚部を伸ばして載置させた状態で全身を横たえ得る程度の長さに設定されている。このように、浴槽を構成することにより、例えば長溝部１６の溝幅を大人が溝内部に入れる程度の幅長さに設定し、さらに、溝長さを大人が足を伸ばして座れる程度の長さに設定することにより、浴湯が貯められる部分の容積を減少させ、かつ、一人が長溝部１６内に入って浴湯し得ると同時に、他の人は図６のように、短辺側の縁部１８に頭部を載置し、背中を長溝部１６の上面側を渡すように預け、腰Ｒ部分を浅床部１４の溝縁１４１部分に載置し、足を伸ばして全身を伸ばした状態で浴湯することができる。したがって、老人や要介護者などを入浴させる場合に、介護者Ｓは長溝部１６内で自分も湯に浸かった姿勢をとり、さらに、被介護者Ｍは、同時に全身を伸ばしてリラックスした状態で浴湯する姿勢をとることができる。
【００１４】
すなわち、実施形態では、長溝部１６は、同長溝部内に一人の人Ｓが入って他の人Ｍが浅床部１４に脚部Ｌを伸ばして載置させた状態で全身を横たえて槽本体内で湯浴が可能な程度の長さに設定されている。
【００１５】
詳細には、図１ないし図６において、実施形態の槽本体は、一つの短辺側寄り位置に長溝部１６を短辺方向全長さに渡って設け、その長溝部に隣接する一つの長溝長辺側となる槽本体の短辺壁側に浅床部１４の段上り高さと同じ高さの補助段床部２２を設け、さらに、他の長溝長辺側から連設する段上り位置に浅床部１４が設けられている。補助段床部２２は、長溝部１６の溝縁部分１４１、すなわち浅床部１４の端縁とともに人が長溝部内に入って座った状態で肘を載せ、体全体を湯舟の中で安定させる。長溝部１６は底部とその周囲上方に立ち上がる四周溝壁からなり、該溝壁高さは浅床部１４の段上り高さとなる。実施形態において、図４に示すように、内のり寸法では、例えば槽本体のＸ方向長さＸ１は１５０ｃｍ、Ｙ方向長さＹ１は１００ｃｍ、長溝部の底壁から縁部までの高さＫ１は５０ｃｍ、浅床部床面までの高さＫ２は３０ｃｍ、長溝縁端から他の短辺側までの浅床部幅Ｗは９７ｃｍ、長溝部溝幅ＤＷは４５ｃｍ、補助段床部の幅ＳＷ８ｃｍで設定されており、したがって、従来の横５５ｃｍ、縦１４０ｃｍ、深さ５５ｃｍタイプの浴槽に比較して湯量は、約３％弱増加した程度で構成し得る。補助段床部２２は、例えば長溝部１６内に入って座った姿勢の人が肘掛けとして使用することができるとともに、図８のように、縁部１８に頭部を支持させ、浅床部１４に脚部を伸ばして載置させて全身を横たえた状態では、利用者の腰から肩にかけた部分の受部にもなり得る。
【００１６】
更に、本実施形態において、移動仕切り装置２４が設けられている。移動仕切り装置２４は、人が浅床部１４上に脚部Ｌを伸ばし長溝部１６に沿う方向に設けられた縁１８に頭部Ｈを載せた状態でその脚長端側を規定するものであり、一次的には足を伸ばした状態での足裏側の係止を行なって頭部Ｈを弾性クッション材２０に置いて全身を伸ばした状態での位置を決める機能を行なうとともに、二次的には仕切り部分を長溝部側に接近させた湯量節約、浅床部１４の使用形態に応じたスペース調節等の機能を行なう。
【００１７】
実施形態において、移動仕切り装置２４は、槽本体側に設けられ第１方向Ｘに沿って間欠状に設けられた受部２６と、受部に着脱自在に嵌合される仕切り板２８と、を含む。槽本体の長辺側壁内面には所要の間隙を空けて縦方向に狭幅の案内溝２６１が設けられるとともに、浅床部１４の上面側にもそれらの案内溝に対応する直角方向位置に円弧状の溝２６２が形成されている。一方、仕切り板２８は浅床部１４を横断方向に仕切るものであり、浅床部で形成される槽の断面より少し大きな面積を有する板部材からなり、下端中央部に浅床部１４に設けられた円弧状の溝２６２に嵌合離脱自在に嵌合する円弧状突起２８１が形成されている。そして、浅床部で形成される槽部分をこの仕切り板２８で仕切る場合には、仕切り板２８の側部を円弧状の溝２６２に挿入させた状態で下降させ、円弧状突起２８１を円弧状溝２６２内に嵌合させることにより浅床部上に脚部を伸ばし長溝部に沿う方向に設けられた縁に頭部を載せた人の脚長端側を規定する。
【００１８】
さらに、本実施形態において、移動仕切り装置２４は、人が浅床部１４上に脚部Ｌを伸ばして全身を横たえる際の長手方向に沿って槽本体に取り付けられ仕切り板２８を同長手方向に移動案内させるレール部材３０を含む。レール部材３０は、槽本体の長辺側の縁に近接した位置において長辺側の長手方向に長く設置されており、仕切り板２８の上部一端側はこのレール部材３０に通係されている。そして、仕切り板２８は、レール部材３０に沿ってその長手方向に自由に移動し得るようになっている。これによって、浅床部１４により形成される大きさはこの仕切り板２８をレール部材に沿って適宜に移動させることにより、全身を伸ばした状態で横たわる人の足部のつっ張りと、浅床部の大きさの調整を行える。
【００１９】
次に、本実施形態の浴槽の作用を使用例とともに説明する。図４、図５のように仕切り板２８はレール部材３０の通係部分を枢支部とするように起立状に開き、所望の脚長の位置で降ろして槽本体側壁の縦方向案内溝２６１に沿って挿入させ、さらに、同仕切り板２８の下端側を浅床部の円弧状溝２６２内に嵌着させて位置を決める。
【００２０】
湯を長溝部及び浅床部全体のある程度の水深を確保し得る水位まで満たす。老人や、要介護者を入浴させる際には、被介護者を浅床部１４側から誘導して動きを補助しながら頭部Ｈを弾性クッション材２０に載せるようにして仰臥姿勢にさせ、図７、図８、図９に示すように、脚部を浅床部上に載置させて全身を伸ばして寝かせる。この状態で被介護者の全身が湯に浸かり、仰臥のリラックスした姿勢で浴湯させ得る。このとき、介護者は、図１０、１２のように、長溝部の長手方向に沿うように向かって同長溝部１６内に入り、図６に示すように、介護者の横から交差する方向に向いた自然な介護姿勢で、介護者の浴湯と同時に自分も浴湯できる。したがって、介護作業も楽で、マッサージや体を洗ったりする作業を十分に施すことができるうえに、被介護者もその間、浴湯に浸かって十分な満足感を得ることができる。
【００２１】
必要に応じて、移動仕切り装置の仕切り板２８を移動させて所望の位置の受部２６に嵌合させることにより脚の突っぱり位置を確定させ得るとともに、子供を浴湯させたい場合等には、図１３、１４のように、浅床部１４上に離した状態で放置しても長溝部等の水深が深い部分に落下するおそれがない。
【００２２】
特に、この実施形態では、槽本体は、長溝部の長手方向と直交する方向であって人が長溝部に沿う方向に設けられた縁に頭部を支持させ、浅床部に脚部を伸ばして載置させた状態で全身を横たえ得る程度の第１方向長さを有するようにしているので、そのぶん浅床部１４は広く確保できるから、首の座っていない乳児を入浴させる際等に、保護者が浅床部の床面上に座り込んで乳児に湯をかけたり、ある程度湯に浸からせたりしながら行なう入浴作業を楽に行なわせ得る。
【００２３】
以上説明した本発明の浴槽は、上記の実施の形態にのみ限定されるものではなく、特許請求の範囲に記載した発明の本質を逸脱しない範囲における変更も本発明に含まれる。
【００２４】
【発明の効果】
以上、説明した様に、本発明に係る浴槽によれば、槽本体内に形成された浅床部と、浅床部に連続して段下がり状に凹設された長溝部と、を有し、長溝部が槽本体の周縁寄り位置に配置され、長溝部の長手方向と直交する方向であって人が長溝部に沿う方向に設けられた縁に頭部を支持させ、浅床部に脚部を伸ばして載置させた状態で全身を横たえ得る程度の第１方向長さを有する槽本体を備えた構成とすることにより、老人や被介護者が全身を伸ばした状態で浴湯に浸かるようにさせ、その状態で介護者も同時に浴槽内に入って楽な姿勢で浴湯補助を行なうことが可能である。また、投入される湯量は従来の浴槽サイズと略同程度に維持しつつ、大人が全身を伸ばした状態で湯に浸かれるスペースと、介護者と被介護者が同時に浴湯し得るスペースを浴槽内に確保し得る。さらに、浅床部を広く確保できて乳児の入浴、大人が全身を伸ばした状態での浴湯と幼児の入浴等を同時に行わせることができ、特に、乳児の入浴作業を保護者が楽な姿勢で実行させることができる。
【００２５】
また、長溝部は、同長溝部内に一人の人が入って他の人が浅床部に脚部を伸ばして載置させた状態で全身を横たえて槽本体内で湯浴が可能な程度の長さに設定された構成とすることにより、老人や要介護者等について、全身を伸ばした状態で浴湯させると同時に、介護者も同時に長溝部に入って楽な姿勢で、体を洗ったり、マッサージ作業等を行なえるうえに、被介護者に全身浴湯による十分な温湯効果と満足感を与える入浴を行なわせることができる。
【００２６】
また、人が長溝部に沿う方向に設けられた縁には弾性クッション材が張設された構成とすることにより、長溝部の長手方向と直交する方向であって浅床部に脚部を伸ばして載置させた状態で全身を横たえた状態で、その頭部を弾性的に支持させるから、槽本体の縁等に違和感なく頭部を置くことができ、全身を伸ばして浅床部に位置させる際の頭部の位置を決める場合や長期の浴湯の際にも快適に維持させ得る。
【００２７】
また、槽本体は平面四角形状で形成され、人が浅床部上に脚部を伸ばし長溝部に沿う方向に設けられた縁に頭部を載せた状態でその脚長端側を規定する移動仕切り装置が設けられた構成であるから、人や要介護者等の身長や脚長に合わせて頭部からの脚長端側を自在に設定できるとともに、必要に応じた浅床部側のスペース等の調整も任意に設定し得る。
【００２８】
また、移動仕切り装置は、槽本体側に設けられ第１方向に沿って間欠状に設けられた受部と、受部に着脱自在に嵌合される仕切り板と、を含むから、設定された浅床部の床面上での仕切り板位置を確実に設定し得る。
【００２９】
さらに、移動仕切り装置は、人が浅床部上に脚部を伸ばして全身を横たえる際の長手方向に沿って槽本体に取り付けられ仕切り板を同長手方向に移動案内させるレール部材を含む構成とすることにより、仕切り板の移動、設定を簡単に行なうことが可能である。
【図面の簡単な説明】
【図１】本発明の実施形態の浴槽の全体斜視説明図である。
【図２】図１のＡ−Ａ線断面図である。
【図３】図１の平面図である。
【図４】図１の浴槽の寸法構成及び仕切り板の作用説明図である。
【図５】図３のＢ−Ｂ線断面図である。
【図６】図１の浴槽の被介護者と介護者等が同時に浴槽内に入った状態を示す作用説明図である。
【図７】縁に頭部を支持させ、浅床部に脚部を伸ばして載置させた状態で全身を横たえた人の入浴状態を示す平面説明図である。
【図８】図７を側面側から見た概略説明図である。
【図９】図７の状態の斜視説明図である。
【図１０】長溝部内に人が入った状態を示す平面説明図である。
【図１１】図１０の側面側から見た概略説明図である。
【図１２】図１０の状態の斜視説明図である。
【図１３】浅床部に座った子供を側面側から見た概略説明図である。
【図１４】図１３の状態の斜視説明図である。
【符号の説明】
１０  浴槽、１２  槽本体、１４  浅床部、１６  長溝部、１８  縁部、２０弾性クッション材、２４  移動仕切り装置、２６  受部、２８  仕切り板、Ｍ被介護者、Ｓ  介護者、Ｘ  第１方向、Ｙ  第２方向
【図１】
2004194951.tif 000003
【図２】
2004194951.tif 000004
【図３】
2004194951.tif 000005
【図４】
2004194951.tif 000006
【図５】
2004194951.tif 000007
【図６】
2004194951.tif 000008
【図７】
2004194951.tif 000009
【図８】
2004194951.tif 000010
【図９】
2004194951.tif 000011
【図１０】
2004194951.tif 000012
【図１１】
2004194951.tif 000013
【図１２】
2004194951.tif 000014
【図１３】
2004194951.tif 000015
【図１４】
2004194951.tif 000016